(57)【要約】【課題】バリ取りプレス時にトリミングプレス刃物に衝撃を与え、バリが折れ曲がって破断されずに残ることを防止し、バリをワークから完全に破断除去する。【解決手段】トリミングプレス刃物１が一方の側に装着された台板３と、この台板３の他方の側に配置され、押圧片４を伸縮自在に駆動するプレス駆動部５とを備え、台板３をプレス駆動部５の押圧片４で押圧して刃物１を台板３とともに駆動し、刃物１の駆動力によりワーク６に付着したバリ７を破断するワーク６のバリ取り装置であって、バリ取り時、トリミングプレス刃物１をバリ７に衝撃的に作用させることによりバリ７の折れ曲がり残りを防止する。【選択図】図１
2005230843.tif 000002
【特許請求の範囲】
【請求項１】
トリミングプレス刃物が一方の側に装着された台板と、この台板の他方の側に配置され、押圧片を伸縮自在に駆動するプレス駆動部とを備え、台板をプレス駆動部の押圧片で押圧して前記刃物を台板とともに駆動し、この刃物の駆動力によりワークに付着したバリを破断するワークのバリ取り装置において、前記台板の押圧片との間にスプリングを介装させ、かつ、台板を引き金上に当接させてなり、ワークをバリがトリミングプレス刃物に位置するように設置するとともに、前記スプリングを前記プレス駆動部の押圧片で押圧し、スプリングを圧縮してエネルギーを蓄積させ、このエネルギーが引き金の臨界値を越えた時点で引き金が解除されて台板がスプリングの弾発力により衝撃的に駆動し、ワークに付着したバリを刃物の衝撃的駆動力により破断することを特徴とするワークのバリ取り装置。
【請求項２】
トリミングプレス刃物が一方の側に装着された台板と、この台板の他方の側に配置され、押圧片を伸縮自在に駆動するプレス駆動部とを備え、台板をプレス駆動部の押圧片で押圧して前記刃物を台板とともに駆動し、この刃物の駆動力によりワークに付着したバリを破断するワークのバリ取り装置において、前記台板の押圧片との間に圧縮性流体を介在させ、かつ、この台板を引き金上に当接させてなり、ワークをバリがトリミングプレス刃物に位置するように設置するとともに、圧縮性流体を前記プレス駆動部の押圧片で押圧し、前記流体を圧縮してエネルギーを蓄積させ、このエネルギーが引き金の臨界値を越えた時点で引き金が解除されて台板が圧縮性流体の圧縮力により衝撃的に駆動し、ワークに付着したバリを刃物の衝撃的駆動力により破断することを特徴とするワークのバリ取り装置。
【請求項３】
請求項２において、圧縮性流体が密閉容器に充填された空気である請求項２に記載のワークのバリ取り装置。
【請求項４】
トリミングプレス刃物が一方の側に装着された台板と、この台板の他方の側に配置され、押圧片を伸縮自在に駆動するプレス駆動部とを備え、台板をプレス駆動部の押圧片で押圧して前記刃物を台板とともに駆動し、この刃物の駆動力によりワークに付着したバリを破断するワークのバリ取り装置において、前記プレス駆動部の押圧片先端にハンマーを装着し、このハンマーで前記プレス駆動部の押圧力により台板を打撃して刃物をハンマーの打撃力により衝撃的に駆動し、ワークに付着したバリを刃物の衝撃的駆動力により破断することを特徴とするワークのバリ取り装置。
【請求項５】
請求項４において、前記ハンマーにさらに圧縮空気を衝突させてハンマーを高速動作させ、刃物の衝撃的駆動力を増大させる請求項４に記載のワークのバリ取り装置。
【請求項６】
請求項４において、前記台板の刃物が装着された側とは反対側に支持板を固定し、この支持板に台板を伸縮自在に懸吊し、台板をハンマーで打撃したときに刃物を衝撃的に駆動するようにした請求項４に記載のワークのバリ取り装置。
【発明の詳細な説明】
【技術分野】
【０００１】
本発明は鋳造加工された各種ワークに付着したバリをトリミングプレス装置により破断除去するワークのバリ取り装置に係り、特に、バリ取りプレス時にトリミングプレス刃物に衝撃を与え、バリが折れ曲がって破断されずに残ることを防止し、バリをワークから完全に破断除去するワークのバリ取り装置に関する。
【背景技術】
【０００２】
自動車の各種部品、例えば、シリンダーヘッド、シリンダーブロック、インテークマニホールド等はアルミや鉄を鋳造加工して製造される。この鋳造によって得られる鋳造品（ワーク）はバリや湯口部（以下、「バリ」という）を有しているため、これらバリをバリ取り装置を用いて破断除去し、仕上げ加工を施さなければならない。
【０００３】
この種のバリ取り装置として、従来、図４に示されるトリミングプレス装置Ｘが知られている。このトリミングプレス装置Ｘはトリミングプレス刃物１が下側に装着され、支持棒１０，１０のガイド２，２に沿って上下移動自在な台板３と、台板３の上方に固定配置され、油圧シリンダーやモータによって押圧片４を上下に駆動するプレス駆動部５とを基本的に備えて構成される。
【０００４】
この装置Ｘは操作に際して、まず、バリ取り仕上げ加工を施すべきワーク６を、バリ７がトリミングプレス刃物１に接触するようにワーク位置決め治具８上に載置して固定する。次いで、プレス駆動部５を作動して押圧片４を下降させ、先端９を台板３に接触して台板３を押圧する。このとき、図５に示されるように、トリミングプレス刃物１は台板３とともに下方に駆動し、この駆動力によりワーク６に付着したバリ７が破断される。
【０００５】
しかし、このときの刃物１の下降速度は２０ｍｍ／秒〜１０００ｍｍ／秒程度であるので、バリ７が薄い場合、図６に示されるように破断されずに内側に折れ曲がって残存してしまう。このため、後工程として手作業によるバリ取り工程が必要であった。
【発明の開示】
【発明が解決しようとする課題】
【０００６】
本発明が解決しようとする課題はバリ取りプレス時にトリミングプレス刃物をバリに衝撃的に作用させてバリが折れ曲がって破断されずに残ることを防止し、バリをワークから完全に破断除去し、上述の公知技術に存する欠点を排除したワークのバリ取り装置を得ることにある。
【課題を解決するための手段】
【０００７】
上述の課題を解決するため、本発明によれば、トリミングプレス刃物が一方の側に装着された台板と、この台板の他方の側に配置され、押圧片を伸縮自在に駆動するプレス駆動部とを備え、台板をプレス駆動部の押圧片で押圧して前記刃物を台板とともに駆動し、この刃物の駆動力によりワークに付着したバリを破断するワークのバリ取り装置において、前記台板の押圧片との間にスプリングを介装させ、かつ、台板を引き金上に当接させてなり、ワークをバリがトリミングプレス刃物に位置するように設置するとともに、前記スプリングを前記プレス駆動部の押圧片で押圧し、スプリングを圧縮してエネルギーを蓄積させ、このエネルギーが引き金の臨界値を越えた時点で引き金が解除されて台板がスプリングの弾発力により衝撃的に駆動し、ワークに付着したバリを刃物の衝撃的駆動力により破断することを特徴とする。
【０００８】
さらに、上述の課題を解決するため、本発明によれば、トリミングプレス刃物が一方の側に装着された台板と、この台板の他方の側に配置され、押圧片を伸縮自在に駆動するプレス駆動部とを備え、台板をプレス駆動部の押圧片で押圧して前記刃物を台板とともに駆動し、この刃物の駆動力によりワークに付着したバリを破断するワークのバリ取り装置において、前記台板の押圧片との間に圧縮性流体を介在させ、かつ、この台板を引き金上に当接させてなり、ワークをバリがトリミングプレス刃物に位置するように設置するとともに、流体を前記プレス駆動部の押圧片で押圧し、前記流体を圧縮してエネルギーを蓄積させ、このエネルギーが引き金の臨界値を越えた時点で引き金が解除されて台板が前記流体の圧縮力により衝撃的に駆動し、ワークに付着したバリを刃物の衝撃的駆動力により破断することを特徴とする。
【０００９】
さらにまた、上述の課題を解決するために、本発明によれば、トリミングプレス刃物が一方の側に装着された台板と、この台板の他方の側に配置され、押圧片を伸縮自在に駆動するプレス駆動部とを備え、台板をプレス駆動部の押圧片で押圧して前記刃物を台板とともに駆動し、この刃物の駆動力によりワークに付着したバリを破断するワークのバリ取り装置において、前記プレス駆動部の押圧片にハンマーを装着し、このハンマーで前記プレス駆動部の押圧力により台板を打撃して刃物をハンマーの打撃力により衝撃的に駆動し、ワークに付着したバリを刃物の衝撃的駆動力により破断することを特徴とする。
【発明の効果】
【００１０】
本発明のバリ取り装置は鋳造加工された各種ワークに付着したバリをトリミングプレス装置により破断除去する装置であって、特に、バリ取りプレス時にトリミングプレス刃物に衝撃を与え、バリが折れ曲がって破断されずに残ることを防止し、バリをワークから完全に破断除去するという効果を奏し得る。
【発明を実施するための最良の形態】
【００１１】
以下、本発明を図面を用いて詳述する。図１は本発明装置の一具体例の断面図であり、図２は本発明装置の他の具体例の断面図であり、図３は本発明装置のさらに他の具体例の断面図である。
【００１２】
図１において、本発明にかかるワークのバリ取り装置は従来の図４に示される装置と同様、トリミングプレス装置であって、トリミングプレス刃物１が一方の側、すなわち、下側に装着され、支持棒１０，１０に嵌め込まれたガイド２，２に沿って上下移動自在な台板３と、台板３の他方の側、すなわち、上側に固定配置され、油圧シリンダーやモータによって押圧片４を上下に駆動するプレス駆動部５とを基本的に備える。
【００１３】
図１における本発明装置の特徴は台板３の押圧片４との間に皿バネ等のスプリング２０を介装させ、かつ、台板３を引き金２１上に当接させることに存する。
【００１４】
このような本発明はワーク６をバリ７がトリミングプレス刃物１に位置するようにワーク位置決め治具８上に設置するとともに、スプリング２０をプレス駆動部５の押圧片４先端９で押圧し、スプリング２０を圧縮してスプリング２０にエネルギーを蓄積させ、このエネルギーが引き金２１の臨界値を越えた時点で引き金２１が解除されて台板３がスプリングの弾発力により衝撃的に駆動し、ワーク６に付着したバリ７を刃物１の衝撃的駆動力により破断する。ワーク６の配置はトリミングプレス刃物１がバリ７に接触する直前、例えば３〜５ｍｍ手前に位置するようにワーク位置決め治具８上に載置することが好ましい。
【００１５】
スプリング２０に蓄積されるエネルギーは引き金設定スプリング２２の強さを適宜に設定することにより任意に設定される。引き金２１はスプリング２２の設定値を越えた力がスプリング２０に加われば臨界値を越えて引き金２１が解除され、台板３が衝撃的に下降して刃物１がバリ７に衝突し、薄いバリも内側に折り曲がることなく破断除去される。
【００１６】
図２は本発明装置の他の具体例の断面図であって、図１のスプリング２０に換えて、空気等の圧縮性流体２３の充填された密閉容器２４を用いたことを除いて図１と同じ構造である。
【００１７】
図２もまた、ワーク６をバリがトリミングプレス刃物１に位置するように設置するとともに、圧縮性流体２３をプレス駆動部５の押圧片４で押圧し、圧縮性流体２３を圧縮してこの流体２３にエネルギーを蓄積させ、このエネルギーが引き金２１の臨界値を越えた時点で引き金２１が解除されて台板３が圧縮性流体２３の圧縮力により衝撃的に駆動し、ワーク６に付着したバリ７を刃物１の衝撃的駆動力により薄いバリ７をも内側に折り曲げることなく破断する。
【００１８】
図３は本発明装置のさらに他の具体例の断面図であって、図２、図３と同様、トリミンングプレス刃物１が一方の側、すなわち下側に装着された台板３と、台板３の他方の側、すなわち上側に配置され、押圧片４を伸縮自在に駆動するプレス駆動部５とを備え、台板３をプレス駆動部５の押圧片４で押圧して刃物１を台板３とともに駆動し、刃物１の駆動力によりワーク６に付着したバリ７を破断する。
【００１９】
図３の装置の特徴とするところはプレス駆動部５の押圧片４先端９にハンマー2５を装着し、このハンマー２５でプレス駆動部５の押圧力により台板３を打撃して刃物１をハンマー２５の打撃力により衝撃的に駆動し、ワーク６に付着したバリ７を刃物１の衝撃的駆動力により破断することに存する。
【００２０】
さらに、図３ではパイプ２６から圧縮空気を導入してハンマー２５に衝突させ、ハンマー２５をさらに高速動作させて刃物１の衝撃的駆動力を増大させることもできる。
【００２１】
さらにまた、図３に示されるように、台板３の刃物１が装着された側とは反対側、すなわち台板３の上側に支持板２７を固定し、この支持板２７に台板３を懸吊杆３０，３０によりスプリング２８，２８を介して伸縮自在に懸吊し、台板３をハンマー２５で打撃したときに刃物１を衝撃的に駆動すると同時に、スプリング２８，２８の弾発力により台板３を元の位置に引きもどす構造とすることもできる。なお、ハンマー２５にもスプリング２９を備え、ハンマー２５を下方に降ろして打撃後、スプリング２９の弾発力によりハンマー２５をもとの位置にもどす構造とすることもできる。
【産業上の利用可能性】
【００２２】
本発明のバリ取り装置は鋳造加工された各種ワークに付着したバリをトリミングプレス装置により破断し、特にバリ取り時にトリミングプレス刃物に衝撃を与え、バリが折れ曲がって破断されずに残ることを防止し、バリをワークから完全に破断除去し得るようにしたから、従来のように破断されずに残った薄いバリを手作業で取る工程が省略され、産業上の利用可能性が高い。
【図面の簡単な説明】
【００２３】
【図１】本発明にかかるワークのバリ取り装置の一具体例の断面図である。
【図２】本発明にかかるワークのバリ取り装置の他の具体例の断面図である。
【図３】本発明にかかるワークのバリ取り装置のさらに他の具体例の断面図である。
【図４】従来のワークのバリ取り装置の断面図である。
【図５】図４のトリミングプレス刃物付近の部分断面図である。
【図６】図４において、刃物でバリを破断した状態を表した部分断面図である。
【符号の説明】
【００２４】
１    トリミングプレス刃物
２    ガイド
３    台板
４    押圧片
５    プレス駆動部
６    ワーク
７    バリ
８    ワーク位置決め治具
９    先端
１０  支持棒
２０  スプリング
２１  引き金
２２  引き金設定スプリング
２３  圧縮性流体
２４  密閉容器
２５  ハンマー
２６  パイプ
２７  支持板
２８  スプリング
２９  スプリング
３０  懸吊杆
【図１】
2005230843.tif 000003
【図２】
2005230843.tif 000004
【図３】
2005230843.tif 000005
【図４】
2005230843.tif 000006
【図５】
2005230843.tif 000007
【図６】
2005230843.tif 000008